(57)【特許請求の範囲】
【請求項１】
アナログのコンポジット信号をデジタル変換する映像信号変換装置において、
前記コンポジット信号に含まれるバースト信号の周波数を４ｎ倍（ｎは２以上の正の整数）したサンプリングクロックを出力するサンプリングクロック出力手段と、
前記サンプリングクロックに基づいて、前記コンポジット信号をアナログ−デジタル変換するアナログ−デジタル変換手段と、
前記アナログ−デジタル変換手段から出力されるデジタル値の所定のサンプリング位相から、前記デジタル値をｎ個置きに抽出して出力するデジタル信号抽出手段と、を備え、
前記デジタル信号抽出手段は、
前記コンポジット信号の水平同期信号の立下りを検出する立下り検出手段と、
前記水平同期信号の立下りにおける前記デジタル値とサンプリング位相決定値とを比較する比較手段と、
前記比較手段の比較結果に基づいて、前記サンプリング位相を決定するサンプリング位相決定手段と、
を有することを特徴とする映像信号変換装置。
【請求項２】
アナログのコンポジット信号をデジタル変換する映像信号変換装置において、
前記コンポジット信号に含まれるバースト信号の周波数を４ｎ倍（ｎは２以上の正の整数）したサンプリングクロックを出力するサンプリングクロック出力手段と、
前記サンプリングクロックに基づいて、前記コンポジット信号をアナログ−デジタル変換するアナログ−デジタル変換手段と、
前記アナログ−デジタル変換手段から出力されるデジタル値の所定のサンプリング位相から、前記デジタル値をｎ個置きに抽出して出力するデジタル信号抽出手段と、
前記デジタル信号抽出手段から出力される前記デジタル値のサンプル数が前記コンポジット信号の１ライン期間における規定数となるように前記サンプル数を補正するサンプル数補正手段と、を備え、
前記サンプル数補正手段は、前記サンプル数が前記規定数より少ない場合、前にサンプリングされた前記デジタル値を保持して出力し、前記サンプル数が前記規定数より多い場合、前記デジタル値を削除することを特徴とする映像信号変換装置。
【発明の詳細な説明】
【技術分野】
【０００１】
本発明は映像信号変換装置に関し、特にアナログのコンポジット信号をデジタル変換する映像信号変換装置に関する。
【背景技術】
【０００２】
近年、ＴＶ放送のデジタル化に伴い、映像信号についてもアナログからデジタルへ移行が進みつつある。そのため、映像機器においてもデジタル・ビデオ信号のインターフェースを具備するものが増加している。
【０００３】
しかし、全ての映像機器がデジタル化されるまでは、現行のアナログＮＴＳＣ（National Television System Committee）も依然として残っているため、ＮＴＳＣ信号からデジタル・コンポジット・ビデオ信号（Ｄ２信号）へ変換する装置が必要である。
【０００４】
アナログのＮＴＳＣ信号をデジタル・コンポジット・信号のＤ２信号に変換する場合、ＮＴＳＣ信号から、カラーバースト信号（ｆｓｃ＝３．５７９５４５ＭＨｚ）を抽出し、この周波数を４逓倍（４ｆｓｃ＝１４．３１８１８ＭＨｚ）する。そして、カラーバースト信号を４逓倍した周波数でＮＴＳＣ信号をサンプリングし、Ｄ２信号へ変換する。
【０００５】
なお、従来、外部から入力される水平同期信号等の同期信号に同期したクロックを周波数逓倍した後、分周して同期信号の立上りもしくは立下りを基準位相とする分周クロックを得ることにより、遅延回路の無調整化を可能にし、量産化を図るサンプルクロック発生装置が提案されている（例えば、特許文献１参照）。
【０００６】
また、基準クロックの位相を映像信号の位相に一致させるための調整を自動的に行うことができるサンプリングクロック発生回路が提案されている（例えば、特許文献２参照）。
【特許文献１】特開昭６３−８１５１７号公報
【特許文献２】特開平６−２８２３４９号公報
【発明の開示】
【発明が解決しようとする課題】
【０００７】
しかし、アナログのコンポジット信号にジッタが多い場合、１ライン期間の周期が変動するため、１ライン期間におけるデジタル信号のサンプリング位相が変動し、適正なデジタル信号に変換することができない場合があるという問題点があった。
【０００８】
本発明はこのような点に鑑みてなされたものであり、アナログのコンポジット信号にジッタが多い場合においても、低遅延で適正なデジタル信号に変換することができる映像信号変換装置を提供することを目的とする。
【課題を解決するための手段】
【０００９】
本発明の一実施態様では上記問題を解決するために、図１に示すようなアナログのコンポジット信号Ｃをデジタル変換する映像信号変換装置１において、コンポジット信号Ｃに含まれるバースト信号の周波数を４ｎ倍（ｎは２以上の正の整数）したサンプリングクロックＳを出力するサンプリングクロック出力手段１ａと、サンプリングクロックＳに基づいて、コンポジット信号Ｃをアナログ−デジタル変換するアナログ−デジタル（Ａ／Ｄ）変換手段１ｂと、を有することを特徴とする映像信号変換装置１が提供される。
【００１０】
このような映像信号変換装置１によれば、コンポジット信号Ｃに含まれるバースト信号の周波数を４ｎ倍したサンプリングクロックＳに基づいて、コンポジット信号Ｃをアナログ−デジタル変換する。これにより、ジッタによって１ライン期間の周期が変動し、サンプリング位相が変動しても、４ｎ倍の周波数でコンポジット信号Ｃをサンプリングしているので、１ライン期間ごとに適正なサンプリング位相に合わせることが可能となる。
【発明の効果】
【００１１】
本発明の映像信号変換装置では、コンポジット信号に含まれるバースト信号の周波数を４ｎ倍したサンプリングクロックに基づいて、コンポジット信号をアナログ−デジタル変換するようにした。これによって、ジッタによって１ライン期間の周期が変動し、サンプリング位相が変動しても、４ｎ倍の周波数でコンポジット信号をサンプリングしているので、１ライン期間ごとに適正なサンプリング位相を合わせることが可能となり、低遅延で適正なデジタル信号に変換をすることができるようになる。
【発明を実施するための最良の形態】
【００１２】
以下、本発明の原理を図面を参照して詳細に説明する。
図１は、映像信号変換装置の概要を示した図である。図に示すように、映像信号変換装置１は、サンプリングクロック出力手段１ａおよびＡ／Ｄ変換手段１ｂを有している。
【００１３】
サンプリングクロック出力手段１ａは、アナログのコンポジット信号Ｃに含まれるバースト信号の周波数を４ｎ倍したサンプリングクロックＳを出力する。ｎは２以上の正の整数である。
【００１４】
Ａ／Ｄ変換手段１ｂは、サンプリングクロック出力手段１ａから出力されるサンプリングクロックＳに基づいて、アナログのコンポジット信号Ｃをアナログ−デジタル変換する。
【００１５】
これにより、ジッタによって１ライン期間の周期が変動し、サンプリング位相が変動しても、従来のｎ倍の周波数でコンポジット信号Ｃをサンプリングしているので、１ライン期間ごとに適正なサンプリング位相を合わせることが可能となる。よって、低遅延で適正なデジタル信号への変換をすることができるようになる。
【００１６】
次に、本発明の実施の形態を、図面を参照して詳細に説明する。映像信号変換装置について説明する前に、ＳＭＰＴＥ（Society of Motion Picture & Television Engineers）２４４Ｍ規格のサンプル位置と値とについて説明する。
【００１７】
図２は、ＮＴＳＣ信号の水平ラインとサンプル番号を説明する図である。図には、波形Ｗ１１（図中下側）に示すように、ＮＴＳＣ信号の水平ラインが示してある。また、波形Ｗ１２（図中上側）に示すように、波形Ｗ１１の水平同期信号の立下り部分を拡大した波形が示してある。
【００１８】
図の両矢印Ａ１１に示すように、ＮＴＳＣ信号の水平ラインの１期間を１ライン期間と呼ぶ。１ライン期間には、９１０個のサンプルがある。すなわち、アナログのＮＴＳＣ信号の１ラインは、９１０個のデジタル値でサンプリングされる。
【００１９】
１ライン期間は、両矢印Ａ１２，Ａ１３に示すように、デジタルアクティブラインとデジタルブランキングとに分けることができる。デジタルアクティブラインには、７６８サンプルがあり、サンプル番号は、０〜７６７である。デジタルブランキングには、７６８から９０９のサンプルがあり、サンプル番号は、７６８〜９０９である。なお、図の両矢印Ａ１４をアナログライン期間と呼び、両矢印Ａ１５に示す期間をアナログブランキングと呼ぶ。
【００２０】
波形Ｗ１２に示すように、水平同期信号の値が５０％となる位置を水平基準点と呼ぶ。ＳＭＰＴＥ２４４Ｍでは、サンプル番号７８４と７８５の間に、水平基準点が位置するように、Ｄ２信号のサンプリング位相が決められる。
【００２１】
両矢印Ａ１３に示すデジタルブランキングの詳細について説明する。
図３は、デジタルブランキングの詳細を説明する図である。図に示すように、デジタルブランキングのサンプル番号は、７６８から９０９となる。サンプル番号９０９の次は、サンプル番号０００となり、デジタルアクティブラインが始まる。そして、サンプル番号７６７でデジタルアクティブラインは終わり、サンプル番号７６８からデジタルブランキングが始まる。なお、サンプル番号７８４と７８５の間に水平基準点が位置している。
【００２２】
また、図に示すようにサンプル番号７９０〜７９４には、ＴＲＳ（Timing Reference  Signal）−ＩＤが含まれる。ＴＲＳ−ＩＤは、タイミングリファレンス信号およびライン番号から構成され、タイミングと同期情報とを含む。
【００２３】
図４は、デジタルブランキングにおける１０ビットサンプルの位置と値とを示した図である。図には、ＳＭＰＴＥ２４４Ｍ規格のサンプル番号７６８から９０９までのＮＴＳＣ信号のサンプル値（理想値）が示してある。バースト信号は、奇数ラインと偶数ラインとによって位相が０度および１８０度と変わるので、バースト信号の位相が０度の場合と１８０度の場合とのサンプル値が示してある。
【００２４】
例えば、図よりサンプル番号７８４のサンプル値は、バースト信号の位相が０度および１８０度とも、０Ａ４（ＨＥＸ）であることが分かる。
以下、映像信号変換装置のブロック構成について説明する。
【００２５】
図５は、映像信号変換装置のブロック構成図である。図に示す映像信号変換装置は、アナログのＮＴＳＣ信号が入力され、デジタル・コンポジット・ビデオ信号のＤ２信号に変換して出力する。映像信号変換装置は、カラーバースト抽出部１１、サンプリングクロック逓倍部１２、Ａ／Ｄ変換部１３、同期分離部１４、水平同期立下り位相検出部１５、サンプリングポイント切替え部１６、サンプリング数カウンタ１７、データ補間／切捨て部１８、およびＴＲＳ−ＩＤ挿入部１９を有している。
【００２６】
カラーバースト抽出部１１は、アナログのＮＴＳＣ信号のカラーバーストを抽出し、カラーバースト信号に同期したクロック（サンプリングクロック）を生成する。カラーバースト信号の周波数は、ｆｓｃ＝３．５７９５４５ＭＨｚであり、カラーバースト抽出部１１は、周波数ｆｓｃ＝３．５７９５４５ＭＨｚのカラーバーストに同期したクロックを生成する。
【００２７】
サンプリングクロック逓倍部１２は、カラーバースト抽出部１１から出力されるクロックの周波数ｆｓｃを４逓倍した後、さらにｎ逓倍し、Ａ／Ｄ変換部１３に出力する。すなわち、サンプリングクロック逓倍部１２は、ｎ×４ｆｓｃの周波数のクロックをＡ／Ｄ変換部１３に出力する。なお、ｎは、２以上の正の整数である。
【００２８】
Ａ／Ｄ変換部１３は、サンプリングクロック逓倍部１２から出力されるクロックに同期して、ＮＴＳＣ信号をアナログ−デジタル変換する。すなわち、Ａ／Ｄ変換部１３は、ＮＴＳＣ信号をｎ×４ｆｓｃの周波数でサンプリングし、アナログ−デジタル変換する。なお、従来のサンプリング周波数は、４ｆｓｃである。
【００２９】
同期分離部１４は、ＮＴＳＣ信号の水平同期信号を抽出し、水平同期立下り位相検出部１５に出力する。
水平同期立下り位相検出部１５には、Ａ／Ｄ変換部１３から出力されるｎ×４ｆｓｃのＮＴＳＣ信号のデジタル値と、同期分離部１４より抽出された水平同期信号とが入力される。水平同期立下り位相検出部１５は、同期分離部１４から水平同期信号が入力されると、Ａ／Ｄ変換部１３から出力されるデジタル値と、水平基準点におけるＳＭＰＴＥ２４４Ｍ規格の理想値との比較を行う。すなわち、水平同期立下り位相検出部１５は、水平同期信号の立下りにおけるＮＴＳＣ信号のデジタル値と、水平基準点におけるＳＭＰＴＥ２４４Ｍ規格の理想値との比較を行う。水平同期立下り位相検出部１５は、比較結果に応じて、基準となるサンプリングポイント（サンプリング位相）を決定し、そのサンプリング位相をサンプリングポイント切替え部１６に通知する。
【００３０】
例えば、水平同期立下り位相検出部１５は、水平同期信号の立下りにおけるＮＴＳＣ信号のデジタル値と、０Ａ４（ＨＥＸ）（サンプル番号７８４の値）とを比較する。水平同期立下り位相検出部１５は、比較によって０Ａ４（ＨＥＸ）に最も近い（一致も含む）デジタル値を検索し、そのデジタル値のサンプリング位相を、基準となるサンプリング位相として決定する。すなわち、水平同期立下り位相検出部１５は、サンプル番号７８４となるデジタル値のサンプリング位相を決定し、決定したサンプリング位相をサンプリングポイント切替え部１６に通知する。
【００３１】
サンプリングポイント切替え部１６には、Ａ／Ｄ変換部１３でデジタル変換されたＮＴＳＣ信号のデジタル値が入力されている。ＮＴＳＣ信号のデジタル値は、ｎ×４ｆｓｃの周波数でサンプリングされているため、１ライン期間のサンプル数がＳＭＰＴＥ２４４Ｍ規格の９１０サンプルより多くなっている。例えば、４ｆｓｃの５倍のクロックで、ＮＴＳＣ信号をサンプリングしたとすると、サンプルデータは、９１０サンプルの５倍になる。
【００３２】
そこで、サンプリングポイント切替え部１６は、水平同期立下り位相検出部１５によって決められたサンプリング位相（サンプル番号７８４）から、デジタル値をｎ個置きに抽出して出力する。これによって、サンプリングポイント切替え部１６からは、ＳＭＰＴＥ２４４Ｍ規格に従った、１ライン期間９１０サンプルのデジタル値が出力される。
【００３３】
ここで、ＮＴＳＣ信号のサンプリングタイミングおよびサンプリング位相の決定について説明する。
図６は、ＮＴＳＣ信号のサンプリングタイミングを示した図である。図の（Ａ）は、４ｆｓｃの周波数でＮＴＳＣ信号をサンプリングした場合のサンプリングタイミングを示している。図の（Ａ）の実線が、ＮＴＳＣ信号のサンプリングタイミングを示している。なお、図の（Ａ）のサンプリングタイミングは、従来のサンプリングタイミングを示している。
【００３４】
図の（Ｂ）は、Ａ／Ｄ変換部１３が５×４ｆｓｃの周波数でＮＴＳＣ信号をサンプリングした場合のサンプリングタイミングを示した図である。図の（Ｂ）の実線および一点鎖線は、５×４ｆｓｃの周波数のサンプリングタイミングを示し、実線は、図の（Ａ）と同じ４ｆｓｃの周波数におけるサンプリングタイミングを示している。
【００３５】
なお、図の（Ａ），（Ｂ）のサンプリングタイミングは、説明上便宜的に示したものであり、実際のサンプリングスケールと合っていない。
図７は、サンプリング位相の決定を説明する図である。図の（Ａ）は、５×４ｆｓｃの周波数でＮＴＳＣ信号をサンプリングした場合のサンプリングタイミングを示した図である。図の（Ｂ）は、ジッタによりＮＴＳＣ信号の位相がずれた場合のサンプリングタイミングを示した図である。図の（Ａ），（Ｂ）の実線は、周波数が４ｆｓｃにおけるサンプリングタイミングを示し、実線および一点鎖線は、周波数が５×４ｆｓｃにおけるサンプリングタイミングを示している。
【００３６】
図５で説明した水平同期立下り位相検出部１５は、デジタル値が０Ａ４（ＨＥＸ）に最も近いサンプリングタイミングを、基準となるサンプリング位相として決定する。図の（Ａ）の場合、水平同期立下り位相検出部１５は、直線Ｂ１１のサンプリングタイミングを基準となるサンプリング位相として決定する。サンプリングポイント切替え部１６は、水平同期立下り位相検出部１５によって決定されたサンプリング位相（直線Ｂ１１）から、デジタル値を５個置きに抽出して出力する。すなわち、サンプリングポイント切替え部１６は、図の（Ａ）の一点鎖線を間引き、実線に示すタイミングで、ＮＴＳＣ信号のデジタル値を出力する。
【００３７】
図の（Ｂ）に示すように、ジッタによってＮＴＳＣ信号の位相がずれたとする。この場合、水平同期立下り位相検出部１５は、直線Ｂ１２のサンプリングタイミングを、基準となるサンプリング位相として決定する。水平同期立下り位相検出部１５は、４ｆｓｃの５倍の周波数でサンプリングされたデジタル値と０Ａ４（ＨＥＸ）との比較を行い、サンプリング位相を決定するので、従来に対し５倍の精度で、サンプリング位相を決定することができる。
【００３８】
サンプリングポイント切替え部１６は、水平同期立下り位相検出部１５によって決められたサンプリング位相（直線Ｂ１２）から、デジタル値を５個置きに抽出して出力する。すなわち、サンプリングポイント切替え部１６は、図の（Ｂ）の実線に示すタイミングで、ＮＴＳＣ信号のデジタル値を出力する。
【００３９】
すなわち、従来では、ＮＴＳＣ信号の位相が、ジッタによって図の（Ｂ）に示すようにずれても、４ｆｓｃの周波数でＮＴＳＣ信号をサンプリングしていたため、図の（Ａ）の実線のタイミングでしか、０Ａ４（ＨＥＸ）に近いサンプリング位相を検出できなかった。図の例の場合、０Ａ４（ＨＥＸ）に近いサンプリング位相を、直線Ｂ１３のタイミングで検出していた。これに対し、図５の映像信号変換装置では、５×４ｆｓｃの周波数でＮＴＳＣ信号をサンプリングしているため、０Ａ４（ＨＥＸ）により近いサンプリング位相（直線Ｂ１２）を検出することができる。よって、１ライン期間ごとに適正なサンプリング位相を合わせることが可能となり、適正なＤ２信号への変換をすることができるようになる。
【００４０】
なお、図の（Ａ），（Ｂ）のサンプリングタイミングは、説明上便宜的に示したものであり、実際のサンプリングスケールと合っていない。
図５の説明に戻る。サンプリング数カウンタ１７は、サンプリングポイント切替え部１６から出力されるＮＴＳＣ信号のデジタル値の数をカウントする。サンプリング数カウンタ１７は、水平同期立下り位相検出部１５によって決定されたサンプリング位相において、カウント値を０にリセットする。すなわち、サンプリング数カウンタ１７は、サンプル番号７８５から７８４までのデジタル値の数をカウントすることにより、１ライン期間のサンプル数をカウントする。
【００４１】
データ補間／切捨て部１８は、ジッタ等によって変化する１ライン期間のデジタル値のサンプル数を、ＳＭＰＴＥ２４４Ｍ規格の９１０個となるように補正を行う。ところで、１ライン期間は、サンプル番号７６８から７６７である。サンプリング数カウンタ１７は、サンプル番号７８５から７８４までのデジタル値の数をカウントして、１ライン期間のデジタル値をカウントしている。よって、データ補間／切捨て部１８は、サンプリング数カウンタ１７のカウント値が９１０より小さければ、サンプル番号７８４（水平同期信号の立下り）から１７データ前のサンプル番号７６７（１ライン期間の終わり）のポイントにおいて、前のデジタル値が補間されるようにする。データ補間／切捨て部１８は、サンプリング数カウンタ１７のカウント値が９１０より大きければ、サンプル番号７８４から１７データ前のサンプル番号７６７のポイントにおいて、データが切り捨てられるようにする。
【００４２】
ここで、図を用いてデータ補間／切捨て部１８の１ライン期間のサンプリング数の補正について説明する。
図８は、１ライン期間のサンプリング数が９１０個となる場合のデータ補間／切捨て部の動作を説明する図である。図に示すように１ライン期間のデジタル値の個数が９１０個の場合、ＳＭＰＴＥ２４４Ｍの規格を満たしている。よって、データ補間／切捨て部１８は、デジタル値のサンプル数を補正することなくサンプリングポイント切替え部１６から出力されるデジタル値をＴＲＳ−ＩＤ挿入部１９に出力する。
【００４３】
図９は、１ライン期間のサンプリング数が９１０個より少ない場合のデータ補間／切捨て部の動作を説明する図である。図に示すように１ライン期間のデジタル値の個数が、例えば、ジッタによって９０８個と９１０個より少なくなった場合、ＳＭＰＴＥ２４４Ｍの規格は満たされなくなってしまう。この場合、データ補間／切捨て部１８は、図の点線丸Ｃ１１に示すように、２サンプル分、前のデジタル値を保持してＴＲＳ−ＩＤ挿入部１９に出力する。これにより、１ライン期間のデジタル値のサンプル数は、９１０個となり、ＳＭＰＴＥ２４４Ｍの規格を満たすことができる。
【００４４】
図１０は、１ライン期間のサンプリング数が９１０個より多い場合のデータ補間／切捨て部の動作を説明する図である。図に示すように１ライン期間のデジタル値の個数が９１４個と９１０個より多くなった場合、ＳＭＰＴＥ２４４Ｍの規格は満たされなくなってしまう。この場合、データ補間／切捨て部１８は、図の点線丸Ｃ１２に示すように、４サンプル分デジタル値を切り捨て、ＴＲＳ−ＩＤ挿入部１９に出力する。これにより、１ライン期間のデジタル値のサンプル数は、９１０個となり、ＳＭＰＴＥ２４４Ｍの規格を満たすことができる。
【００４５】
図５の説明に戻る。ＴＲＳ−ＩＤ挿入部１９には、データ補間／切捨て部１８から出力されるデジタル値と、水平同期立下り位相検出部１５によって決定されたサンプリング位相とが入力される。ＴＲＳ−ＩＤ挿入部１９は、決定されたサンプリング位相に基づいて、サンプル番号７９０〜７９４にＴＲＳ−ＩＤを挿入する。
【００４６】
例えば、ＴＲＳ−ＩＤ挿入部１９は、水平同期立下り位相検出部１５からのサンプリング位相（サンプル番号７８４）に基づいて、サンプル番号７９０〜７９４を認識することができ、サンプル番号７９０〜７９４にＴＲＳ−ＩＤを挿入することができる。ＴＲＳ−ＩＤ挿入部１９は、ＴＲＳ−ＩＤを挿入したデジタル信号をＤ２信号として出力する。
【００４７】
次に、フローチャートを用いて、サンプリング位相の決定およびサンプル数の補正について説明する。まず、サンプリング位相の決定について説明する。
図１１は、サンプリング位相の決定の動作を示すフローチャートである。
【００４８】
［ステップＳ１］水平同期立下り位相検出部１５は、同期分離部１４から水平同期信号が入力されると、Ａ／Ｄ変換部１３から出力されたデジタル値を２ｎ個（−ｎ〜＋ｎ）ラッチする。すなわち、水平同期立下り位相検出部１５は、水平同期信号の立下りにおけるＮＴＳＣ信号のデジタル値をラッチする。
【００４９】
［ステップＳ２］水平同期立下り位相検出部１５は、ラッチしたデジタル値の中から、０Ａ４（ＨＥＸ）の値に最も近いデジタル値を検出する。
［ステップＳ３］水平同期立下り位相検出部１５は、０Ａ４（ＨＥＸ）の値に最も近いデジタル値のサンプリングポイントを、基準となるサンプリング位相（サンプル番号７８４）として決定する。
【００５０】
［ステップＳ４］サンプリングポイント切替え部１６は、水平同期立下り位相検出部１５によって決定されたサンプリング位相から、デジタル値をｎ個置きに抽出して出力する。
【００５１】
次に、サンプル数の補正の動作について説明する。
図１２は、サンプル数の補正を説明するフローチャートである。
［ステップＳ１１］サンプリング数カウンタ１７は、リセットする前のカウント値（Ｘ）をラッチし、データ補間／切捨て部１８に出力する。
【００５２】
［ステップＳ１２］データ補間／切捨て部１８は、サンプリング数カウンタ１７のカウント値が９１０であるか否か判断する。すなわち、データ補間／切捨て部１８は、１ライン期間のサンプル数がＳＭＰＴＥ２４４Ｍ規格で定める９１０個であるか否か判断する。カウント値が９１０である場合、データ補間／切捨て部１８は、データの補正をすることなく、処理を終了する。カウント値が９１０でなければ、ステップＳ１３へ進む。
【００５３】
［ステップＳ１３］データ補間／切捨て部１８は、サンプリング数カウンタ１７のカウント値が９１０より大きいか否か判断する。サンプリング数カウンタ１７のカウント値が９１０より大きい場合、ステップＳ１４へ進む。サンプリング数カウンタ１７のカウント値が９１０より大きくない場合、ステップＳ１５へ進む。
【００５４】
［ステップＳ１４］データ補間／切捨て部１８は、Ｘ−９１０のデジタル値を切り捨てる。
［ステップＳ１５］データ補間／切捨て部１８は、９１０−Ｘのデジタル値を、前のデジタル値を用いて補間する。
【００５５】
このように、ＮＴＳＣ信号は、バースト信号の周波数を４ｎ倍したクロックに基づいて、アナログ−デジタル変換される。これによって、ジッタによって１ライン期間の周期が変動しても、４ｎ倍の周波数でコンポジット信号をサンプリングしているので、適正なサンプリング位相に合わせることが可能となり、適正なデジタル信号に変換をすることができるようになる。
【００５６】
また、タイムベースコレクタやフレームシンクロナイザなどの映像を補正する機器でジッタを解消してからアナログ−デジタル変換することも考えられるが、これらの装置は、フレーム単位で処理を行うので大きな遅延が生じる。これに対し、映像信号変換装置は、バースト信号の周波数を４ｎ倍したクロックに基づいて、アナログ−デジタル変換するので、１ライン期間ごとにサンプリング位相の補正を行うことが可能となり、低遅延で適正なデジタル信号への変換ができる。
【００５７】
さらに、ジッタによってＤ２信号のサンプル数が変化しても、データ補間／切捨て部１８によって、ＳＭＰＴＥ２４４Ｍで規定されているサンプル数となるように補正するようにした。これによって、適正なサンプル数のＤ２信号を出力することができる。
【図面の簡単な説明】
【００５８】
【図１】映像信号変換装置の概要を示した図である。
【図２】ＮＴＳＣ信号の水平ライン期間とサンプル番号を説明する図である。
【図３】デジタルブランキングの詳細を説明する図である。
【図４】デジタルブランキングにおける１０ビットサンプルの位置と値とを示した図である。
【図５】映像信号変換装置のブロック構成図である。
【図６】ＮＴＳＣ信号のサンプリングタイミングを示した図である。
【図７】サンプリング位相の決定を説明する図である。
【図８】１ライン期間のサンプリング数が９１０個となる場合のデータ補間／切捨て部の動作を説明する図である。
【図９】１ライン期間のサンプリング数が９１０個より少ない場合のデータ補間／切捨て部の動作を説明する図である。
【図１０】１ライン期間のサンプリング数が９１０個より多い場合のデータ補間／切捨て部の動作を説明する図である。
【図１１】サンプリング位相の決定の動作を示すフローチャートである。
【図１２】サンプル数の補正を説明するフローチャートである。
【符号の説明】
【００５９】
１  映像信号変換装置
１ａ  サンプリングクロック出力手段
１ｂ  Ａ／Ｄ変換手段
Ｃ  コンポジット信号
Ｓ  サンプリングクロック
【図１】
0004679406.tif 000002
【図２】
0004679406.tif 000003
【図３】
0004679406.tif 000004
【図４】
0004679406.tif 000005
【図５】
0004679406.tif 000006
【図６】
0004679406.tif 000007
【図７】
0004679406.tif 000008
【図８】
0004679406.tif 000009
【図９】
0004679406.tif 000010
【図１０】
0004679406.tif 000011
【図１１】
0004679406.tif 000012
【図１２】
0004679406.tif 000013